【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
複数の画素が設けられた液晶表示装置であって、
薄膜トランジスタを有する第１の基板と、
前記第１の基板と対向配置された第２の基板と、
前記第１の基板と前記第２の基板との間に挟持された液晶と、
前記第１の基板及び前記第２の基板の前記液晶と接する側の面に形成され、前記薄膜トランジスタのゲート電極と接続するゲート配線の延在方向に対して、０°＜α＜９０°となる傾斜角度αで傾斜した配向方向を有する配向膜と、
双方が前記第１の基板上に形成される、前記画素内に形成され、前記薄膜トランジスタのドレイン電極と接続する画素電極及び前記画素電極と絶縁膜を介して対向配置される共通電極と、
前記画素電極及び前記共通電極の一方の電極に形成され、他方の電極との間で前記液晶に対してフリンジ電界を発生させるスリットと、を備え、
前記画素内は、前記配向方向、又は前記配向方向に垂直な垂直方向に延在する境界線により第１領域及び第２領域に分割され、
前記スリットは、
前記第１領域に設けられ、前記境界線の延在方向に対して所定の方向に角度θ傾斜して配置された複数の第１スリットと、
前記第２領域に設けられ、前記境界線の延在方向に対して前記所定の方向と反対方向に前記角度θ傾斜して配置された複数の第２スリットと、を有し、
前記第２の基板の前記第１の基板が配置された側と反対側に設けられ、前記配向方向、又は前記垂直方向に設定された吸収軸を有する偏光板を有する液晶表示装置。
【請求項２】
前記角度θは、１°以上２０°以下である請求項１に記載の液晶表示装置。
【請求項３】
前記スリットは、前記境界線上に形成された第３スリットをさらに有する請求項１又は２に記載の液晶表示装置。
【請求項４】
前記複数の第１スリットのスリット長の総和と、前記複数の第２スリットのスリット長の総和とが同じ値となる請求項１乃至３のいずれか１項に記載の液晶表示装置。
【請求項５】
前記複数の第１スリットは、前記複数の第２スリットと同じスリット幅を有する請求項１乃至４のいずれか１項に記載の液晶表示装置。
【請求項６】
前記複数の第１スリットは、前記複数の第２スリットと異なるスリット幅を有する請求項１乃至４のいずれか１項に記載の液晶表示装置。
【請求項７】
複数の画素が設けられた液晶表示装置の製造方法であって、
第１の基板上に、薄膜トランジスタを形成する工程と、
前記第１の基板上において、前記画素内に、前記薄膜トランジスタのドレイン電極と接続する画素電極を形成する工程と、
前記第１の基板上において、前記画素電極と絶縁膜を介して対向配置され、前記画素電極との間でフリンジ電界を発生させるスリットを有する共通電極を形成する工程と、
前記共通電極の上に、前記薄膜トランジスタのゲート電極と接続するゲート配線の延在方向に対して、０°＜α＜９０°となる傾斜角度αで傾斜した配向方向を有する配向膜を形成する工程と、
前記第１の基板に第２の基板を貼り合わせて、前記第１の基板と前記第２の基板との間に液晶を封入する工程と、を備え、
前記共通電極の形成工程では、
前記画素内を、前記配向方向、又は前記配向方向に垂直な垂直方向に延在する境界線により第１領域及び第２領域に分割し、
前記第１領域に設けられ、前記境界線の延在方向に対して所定の方向に角度θ傾斜して配置された複数の第１スリットと、
前記第２領域に設けられ、前記境界線の延在方向に対して前記所定の方向と反対方向に前記角度θ傾斜して配置された複数の第２スリットと、を形成し、
前記第２の基板の前記第１の基板が配置された側と反対側に、前記配向方向、又は前記垂直方向に設定された吸収軸を有する偏光板を設ける工程をさらに備える液晶表示装置。
【請求項８】
前記角度θは、１°以上２０°以下である請求項７に記載の液晶表示装置の製造方法。
【請求項９】
前記共通電極の形成工程では、前記境界線上に第３スリットをさらに形成する請求項７又は８に記載の液晶表示装置の製造方法。
【請求項１０】
前記共通電極の形成工程では、前記複数の第１スリットのスリット長の総和と、前記複数の第２スリットのスリット長の総和とが同じ値となるように形成する請求項７乃至９のいずれか１項に記載の液晶表示装置の製造方法。
【請求項１１】
前記共通電極の形成工程では、前記複数の第１スリットを、前記複数の第２のスリットと同じスリット幅で形成する請求項７乃至１０のいずれか１項に記載の液晶表示装置の製造方法。
【請求項１２】
前記共通電極の形成工程では、前記複数の第１スリットを、前記複数の第２のスリットと異なるスリット幅で形成する請求項７乃至１０のいずれか１項に記載の液晶表示装置の製造方法。
【手続補正２】
【補正対象書類名】明細書
【補正対象項目名】０００９
【補正方法】変更
【補正の内容】
【０００９】
本発明にかかる液晶表示装置は、複数の画素が設けられた液晶表示装置であって、薄膜トランジスタを有する第１の基板と、前記第１の基板と対向配置された第２の基板と、前記第１の基板と前記第２の基板との間に挟持された液晶と、前記第１の基板及び前記第２の基板の前記液晶と接する側の面に形成され、前記薄膜トランジスタのゲート電極と接続するゲート配線の延在方向に対して、０°＜α＜９０°となる傾斜角度αで傾斜した配向方向を有する配向膜と、双方が前記第１の基板上に形成される、前記画素内に形成され、前記薄膜トランジスタのドレイン電極と接続する画素電極及び前記画素電極と絶縁膜を介して対向配置される共通電極と、前記画素電極及び前記共通電極の一方の電極に形成され、他方の電極との間で前記液晶に対してフリンジ電界を発生させるスリットと、を備え、前記画素内は、前記配向方向、又は前記配向方向に垂直な垂直方向に延在する境界線により第１領域及び第２領域に分割され、前記スリットは、前記第１領域に設けられ、前記境界線の延在方向に対して所定の方向に角度θ傾斜して配置された複数の第１スリット（本発明の実施の形態にかかるスリットＡ）と、前記第２領域に設けられ、前記境界線の延在方向に対して前記所定の方向と反対方向に前記角度θ傾斜して配置された複数の第２スリット（本発明の実施の形態にかかるスリットＢ）と、を有し、前記第２の基板の前記第１の基板が配置された側と反対側に設けられ、前記配向方向、又は前記垂直方向に設定された吸収軸を有する偏光板を有するものである。
【手続補正３】
【補正対象書類名】明細書
【補正対象項目名】００１０
【補正方法】変更
【補正の内容】
【００１０】
また、本発明にかかる液晶表示装置の製造方法は、複数の画素が設けられた液晶表示装置の製造方法であって、第１の基板上に、薄膜トランジスタを形成する工程と、前記第１の基板上において、前記画素内に、前記薄膜トランジスタのドレイン電極と接続する画素電極を形成する工程と、前記第１の基板上において、前記画素電極と絶縁膜を介して対向配置され、前記画素電極との間でフリンジ電界を発生させるスリットを有する共通電極を形成する工程と、前記共通電極の上に、前記薄膜トランジスタのゲート電極と接続するゲート配線の延在方向に対して、０°＜α＜９０°となる傾斜角度αで傾斜した配向方向を有する配向膜を形成する工程と、前記第１の基板に第２の基板を貼り合わせて、前記第１の基板と前記第２の基板との間に液晶を封入する工程と、を備え、前記共通電極の形成工程では、前記画素内を、前記配向方向、又は前記配向方向に垂直な垂直方向に延在する境界線により第１領域及び第２領域に分割し、前記第１領域に設けられ、前記境界線の延在方向に対して所定の方向に角度θ傾斜して配置された複数の第１スリットと、前記第２領域に設けられ、前記境界線の延在方向に対して前記所定の方向と反対方向に前記角度θ傾斜して配置された複数の第２スリットと、を形成し、前記第２の基板の前記第１の基板が配置された側と反対側に、前記配向方向、又は前記垂直方向に設定された吸収軸を有する偏光板を設ける工程をさらに備えるものである。